(57)【要約】【課題】母の胸に抱かれて眠る幼児期の安心睡眠導入を、大人でも得られるようにする。【解決手段】模擬乳首体（２５）は模擬乳輪（２６）と模擬乳頭（２８）と装着用の嵌入突起（２７）とからなり、模擬乳房（１１）の頂部に、入口部の口径が奥部よりも小径に穿設された嵌着穴（２９）を構成し、前記嵌着穴（２９）へ前記嵌入突起（２７）を着脱自在に嵌入することで装着、前記模擬乳首体（２５）と一体化構成してなる第３模擬乳房（２０）に、触れる感触をより良いものとして、枕体（３０）の一面に設置した睡眠導入し易い睡眠導入枕である安眠枕とした。【選択図】図１
2020124453.tif 000002
【特許請求の範囲】
【請求項１】
母の胸部を模した摸擬乳房を設置してなる睡眠導入枕において、
枕体平面形は四辺でなる見掛け縦長形によって構成され、その四辺形の枕体３０第１辺側（上方辺）へ対の摸擬乳房（１１）を並べて設置、この辺を模擬乳房辺とし、第２辺（下方辺）は従来型の枕形でなる通常枕辺とし、左右の第３辺、第４辺は、前記配置された摸擬乳房（１１）の片方が夫々辺の一部を占める模擬乳房側辺として、夫々の四辺が異なる枕構造をなし、これを随意選択使用することができる睡眠枕の四辺構造と、
前記四辺構造のうち、第１辺を除く他辺に替えて、少なくとも四辺でなる多辺形構造と、
前記同様に他辺に替えて、連続する曲線によって構成される略半円形構造と、
のうちから選ばれる一つの構造によってなる多方向使いの睡眠導入枕であることを特徴とした安眠枕。
【請求項２】
請求項１に記載の模擬乳房（１１）部を分離製作し、枕体（３０）の所定位置に着脱自在に装着して睡眠導入枕を構成するものであって、
布生地、又はその他の布状体で略半球状の、対でなる膨突袋部を有する上層布（１３）として形成し、その膨突袋部の中に詰物を充填し、基盤布（１５）をもってこれを封止することで模擬乳房を構成し、
その模擬乳房を設置した装着帯（２０）の両翼において、前記上層布（１３）のみを、又は前記基盤布（１５）を合せて、左右方向に延伸し、前記枕体に装着するために必要な長さをもってその全長を形成し、
その端部及びその他の位置に、例えば面ファスナーのような着脱自在な固着手段の片方を備えた装着帯（２０）とする、
以上の構成でなる摸擬乳房帯、並びに前記摸擬乳房帯を枕体に固着一体化した安眠枕。
【請求項３】
柔軟性合成樹脂材を素材とする摸擬乳房体によってなる安眠枕の製造方法であって、
布生地、又はその他の生地で略半球状の、対でなる膨突袋部を縫製等により上層布として形成し、
その上層布を摸擬乳房凸型に被せ、その上に重ねて第１回目の柔軟性合成樹脂成型を実施、これを早期離型後裏返して前記凸型に再度被せ、上層布の上に重ねて第２回目の前記合成樹脂成型を行うことで、三重構造の外皮として構成する第１の外皮（３２）構造と、
前記上層布膨突袋部高さの少なくとも半分以上を切除等によって除外し、その袋部を先方部のない上層布の筒状（２４）にして前記同様の三重構造とし、その除外先方部を柔軟性合成樹脂の一重構造として、併せて一体成型してなる第２の外皮（３３）構造と、
のうち何れかの摸擬乳房外皮構造と、
前記外皮構造の膨突袋部の内に詰物をする充填構造において、
前記外皮構造袋部に、又は前記一部が一重構造でなる外皮構造袋部に、柔軟性合成樹脂材を充填し、次いで基盤布で封止、その基盤布の織目及び絡め糸（１６）に絡めて柔軟性合成樹脂材が固化することで、充填柔軟性合成樹脂材と外皮構造と基盤布とが固結一体化してなる第１の詰物構造と、
充填材ウレタンは適当な柔軟度の塊から、前記外皮構造袋部の中に収まる形状と大きさに切削等によって成形、そのウレタン塊に適度な径の貫通孔を、上下、左右、前後、傾斜、その他方向のうちから選ばれる一方向、又はその複数方向を穿設、このウレタン塊を前記外皮構造袋部の中に挿入後、柔軟性合成樹脂材を充填して貫通孔と外皮とを絡めて連通し、基盤布で封止、その基盤布の織目及び絡め糸（１６）に絡めて、ウレタンと柔軟性合成樹脂材と外皮構造と基盤布とが固化により一体化してなる第２の詰物構造と、
のうち何れかの摸擬乳房詰物構造と、
によって構成されることを特徴とした安眠枕の製造方法。
【請求項４】
合成樹脂により成型された模擬乳房に装着する、柔軟性シリコーンで成型された模擬乳首体であって、
前記模擬乳首体（２５）は模擬乳輪（２６）と模擬乳頭（２８）と装着用突起（２７）とからなり、
前記模擬乳輪（２６）は円盤形をなし、その外径は１０ｃｍ以内で形成され、中心部から外方へ漸次その厚みは薄くなって輪郭部で無しとなり、その全体は裏側方向に椀曲し、
前記模擬乳輪（２６）中心部表面には模擬乳頭（２８）を一体に突設、
前記模擬乳輪（２６）中心部裏面には、先方径が元部よりも大にして形成される嵌入突起（２７）を一体に突設、
それによって構成される前記模擬乳首体（２５）と、
前期模擬乳房（１１）の頂部に、入口部の口径が奥部よりも小径に穿設された嵌着穴（２９）と、
によって構成される、前記嵌着穴（２９）へ前記嵌入突起（２７）を着脱自在に嵌入することで装着、一体化してなることを特徴とした模擬乳房、並びにその模擬乳首体。
【発明の詳細な説明】
【技術分野】
【０００１】  本発明は睡眠時に使用する睡眠枕に関する。
【背景技術】
【０００２】  単に頭を載置するだけの睡眠枕から、視点を変えた工夫によって、寝つきの悪い時でも睡眠導入され易いような枕の形状や質が模索されている。
【先行技術文献】
【０００３】
【特許文献１】特開平１０−１３７０９３
【特許文献２】登録実新第３１５５４５５号
【発明の概要】
【発明が解決しようとする課題】
【０００４】  従来のおっぱい型枕は女性の胸を模った形状を母なる胸として枕に表し、主として乳房状の膨らみ二つが形成する谷間に頭部を乗せて眠りにつくことが主張されている。すなわち頭部を模擬乳房の間に載置することが眠りにつく前提とされている。【０００５】  しかしながら、模擬乳房の谷間に頭を乗せ安定を良くして眠りにつこうとしても、やがて自然に寝返りをすることになるため、頭を横置き状態にしなければならなくなり、横向きの頭部は模擬乳房の谷間では甚だ窮屈で、安らかではない姿勢となるため、身体は寝返り回転して頭はその位置を外れやすいことになる。その時従来のおっぱい型枕では模擬乳房が却って邪魔になり、枕自体が頭から外れてしまうことは自然の成行きであった。【０００６】  特許文献１によると、その主課題とするところは谷間に頭部を乗せて睡眠することであり、頭部の安定と通気性の確保を主張している。
特許文献２においては、谷間に頭を乗せて眠ることは安定性が良く、睡眠導入される、としている。【０００７】  特許文献１，２の技術的な中心部分は模擬乳房の谷間を活用する技術であり、それに従った場合には頭部が位置的に固定されるために寝返りのとき窮屈となり、また、大人の頭をそこに載置して、寝返りを考慮しないまま睡眠設定すること自体は現実的とは云々難いものであった。寝返りの時や返り戻るときもむしろ邪魔になるなど、いずれにしても窮屈さが眠りを妨げるという逆結果であり、欠点ともなっていた。【０００８】  上記に述べた実情に鑑み、本発明ではより自然な睡眠体勢で使用でき、幼児期の安心睡眠に倣って睡眠導入され易い睡眠枕を得ることを課題とする。
【課題を解決するための手段】
【０００９】  母の胸部を模した摸擬乳房を設置してなる睡眠導入枕において、
枕体平面形は四辺でなる見掛け縦長形によって構成され、その四辺形の枕体３０第１辺側（上方辺）へ対の摸擬乳房（１１）を並べて設置、この辺を模擬乳房辺とし、第２辺（下方辺）は従来型の枕形でなる通常枕辺とし、左右の第３辺、第４辺は、前記配置された摸擬乳房（１１）の片方が夫々辺の一部を占める模擬乳房側辺として、夫々の四辺が異なる枕構造をなし、これを随意選択使用することができる睡眠枕の四辺構造と、
前記四辺構造のうち、第１辺を除く他辺に替えて、少なくとも四辺でなる多辺形構造と、
前記同様に他辺に替えて、連続する曲線によって構成される略半円形構造と、
のうちから選ばれる一つの構造によってなる多方向使いの睡眠導入枕であることを特徴とした安眠枕である。【００１０】  請求項１に記載の模擬乳房（１１）部を分離製作し、枕体（３０）の所定位置に着脱自在に装着して睡眠導入枕を構成するものであって、
布生地、又はその他の布状体で略半球状の、対でなる膨突袋部を有する上層布（１３）として形成し、その膨突袋部の中に詰物を充填し、基盤布（１５）をもってこれを封止することで模擬乳房を構成し、
その模擬乳房を設置した装着帯（２０）の両翼において、前記上層布（１３）のみを、又は前記基盤布（１５）を合せて、左右方向に延伸し、前記枕体に装着するために必要な長さをもってその全長を形成し、
その端部及びその他の位置に、例えば面ファスナーのような着脱自在な固着手段の片方を備えた装着帯（２０）とする、
以上の構成でなる摸擬乳房帯、並びに前記摸擬乳房帯を枕体に固着一体化した安眠枕である。【００１１】  柔軟性合成樹脂材を素材とする摸擬乳房体によってなる安眠枕の製造方法であって、
布生地、又はその他の生地で略半球状の、対でなる膨突袋部を縫製等により上層布として形成し、
その上層布を、合成樹脂材、又はセメント硬化材、若しくはその他の硬化素材、によって形成される摸擬乳房凸型に被せ、その上に重ねて第１回目の柔軟性合成樹脂材成型を実施、それによって二重構造でなる袋部及び平部の一部を形成し、これを早期離型後裏返して前記凸型に再度被せ、その裏返しで表面化した上層布の上に重ねて第２回目の柔軟性合成樹脂材成型を行うことで、上層布を柔軟性合成樹脂材で表層体（１７）と裏層体（３１）で挟着した三重構造状の外皮として構成する第１の外皮（３２）構造と、
前記上層布膨突袋部の先方部である、膨突高さの少なくとも半分以上を切除等によって除外し、その袋部を先方部のない上層布の筒状布（２４）にして前記同様の三重構造とし、前記除外の先方部を柔軟性合成樹脂の一重構造として、併せて一体成型してなる第２の外皮構造と、
のうち何れかの摸擬乳房外皮構造と、
離型後の形状保持された前記外皮構造の膨突袋部の、少なくとも平滑面側を表としたその内に詰物をする充填構造において、
前記外皮構造袋部に、又は前記一部が一重構造でなる外皮構造袋部に、柔軟性合成樹脂材を充填し、次いで基盤布で封止、その基盤布の織目及び絡め糸（１６）に絡めて柔軟性合成樹脂材が固化することで充填柔軟性合成樹脂材と固結一体化してなる第１の詰物構造と、
充填材ウレタンは適当な柔軟度の塊から、前記外皮構造袋部の中に収まる形状と大きさに切削等によって成形、そのウレタン塊に適度な径の貫通孔を、上下、左右、前後、傾斜、その他方向のうちから選ばれる一方向、又はその複数方向を穿設、このウレタン塊を前記外皮構造袋部の中に挿入後、柔軟性合成樹脂材を充填して貫通孔と外皮とを絡めて連通し、基盤布で封止、その基盤布の織目及び絡め糸（１６）に絡め、固化によりウレタンと一体化してなる第２の詰物構造と、
のうち何れかの摸擬乳房詰物構造と、
によって構成されることを特徴とした安眠枕の製造方法である。【００１２】  合成樹脂により成型された模擬乳房に装着する、柔軟性シリコーンで成型された模擬乳首体であって、
前記模擬乳首体（２５）は模擬乳輪（２６）と模擬乳頭（２８）と装着用突起（２７）とからなり、
前記模擬乳輪（２６）は円盤形をなし、その外径は１０ｃｍ以内で形成され、中心部から外方へ漸次その厚みは薄くなって輪郭部で無しとなり、その全体は裏側方向に椀曲し、
前記模擬乳輪（２６）中心部表面には模擬乳頭（２８）を一体に突設、
前記模擬乳輪（２６）中心部裏面には、先方径が元部よりも大にして形成される嵌入突起（２７）を一体に突設、
それによって構成される前記模擬乳首体（２５）と、
前期模擬乳房（１１）の頂部に、入口部の口径が奥部よりも小径に穿設された嵌着穴（２９）と、
によって構成される、前記嵌着穴（２９）へ前記嵌入突起（２７）を着脱自在に嵌入することで装着、一体化してなることを特徴とした模擬乳房、並びにその模擬乳首体である。
【発明の効果】
【００１３】  第１の発明から得られる効果は、枕を多方向から使用する特徴的な構造としたことによって、また、別の形として模擬乳房辺はそのままに他の３辺に替えて多辺形や略半円形の枕としたことによって、１個の枕でありながら複数の異なる枕構造辺を備える中から、使用者は好みの辺、すなわち睡眠導入され易い辺や方向を選択する事が可能という、より多くの機会が得られる効果を実現した。【００１４】  これによって使用者自身が模擬乳房と共に安心の場である母の胸に居る意識を潜在意識下の自身と共有し、前記選択された枕辺によって安静を得て、横たわる自然な姿勢で顔や手が模擬乳房の膨らみに触れながら、すなわち安心を実感しながら安静にすると、穏やかさが無意識に持続されていくうちに、睡眠導入され易くなるという効果が得られた。【００１５】  第２の発明効果は、模擬乳房とベルト状の装着帯とを切り離してセット化して、模擬乳房帯として睡眠枕から独立し主要部材化したものであり、他の枕体で共通の位置決め固着部材を備えたものに着脱自在に装着することで、その枕体を多方向使用の睡眠導入枕に随意転換できるという効果を実現した。【００１６】  使い慣れ、頭に馴染んだ自分の枕に対し、前記模擬乳房帯をその端部にセットすることで、たやすく睡眠導入枕に転換することを実現したものである。また、例えば抱き枕に着脱自在に装着し、睡眠導入抱き枕とすることで、幼き日の母の添い寝の心地好さとなって潜在意識の下に睡眠導入され易くなる。このように異なる複数の通常睡眠枕を睡眠導入枕へと転換することが模擬乳房帯によって可能となったものである。【００１７】  第３の発明効果は、請求項３に示す製造方法によると、安眠の目的に合致することに適当な模擬乳房体及び安眠枕を得ることが容易であり、それを比較的安価に実現することができるものである。【００１８】  前記製法によって得られる模擬乳房１１のより良い感触が、意識を無意識へ、さらに潜在意識へと近付けるものとなって睡眠導入され易くなる。【００１９】  原形凸型製作を石膏型やセメント型によることを可能としており、金型による必要がないことは製造原価低減についての著しい効果がある。【００２０】  第４の発明効果は、模擬乳房の感触を無意識の中においてよりリアル化し睡眠導入効果を高めようとするもので、柔軟性シリコーンでなる模擬乳首２５を模擬乳房１１に対して、図７に示す着脱自在に装着できる構造としたことで、複数用意された模擬乳首を使用者は選択使用することが可能であり、よりよい睡眠導入を実現した。
【図面の簡単な説明】
【００２１】
【図１】本発明安眠枕を表す斜視図、並びに平面図
【図２】本発明安眠枕の例を表す平面図
【図３】本発明安眠枕のＡ−Ａ線を表す断面図、並びに拡大図、及び正面図
【図４】本発明安眠枕を表す斜視図
【図５】本発明安眠枕を表す断面図
【図６】本発明にかかる凸型の断面図
【図７】本発明安眠枕を表す斜視図
【図８】本発明安眠枕の細部を表す斜視図、並びに断面図
【発明を実施するための形態】
【００２２】  文中の語句を定義するならば、
椀曲とは、食器のお椀のように一方へ凹曲面となる形状を表し、
模擬乳首とは、模擬乳輪と模擬乳頭と装着用突起とで構成される模擬乳首体を示す。
【００２３】  本発明の主要素材は柔軟性合成樹脂材によってなされるものであるが、説明にあたりその素材を柔軟性シリコーンを当てた場合をもって説明する。また、単にシリコーンと記載されている場合も柔軟性シリコーンを示すものである。
【００２４】  従来の一般的睡眠枕の平面形状は横長の略四辺形であるが、本発明は説明上これを縦長に見掛ける四辺形とし、その各辺が其々異なる特徴的形状を形成し、使用者は各辺を選択しながら自由に使用するものであり、その特徴的形状は幼児期に母の胸に抱かれて眠った安心睡眠の潜在意識に根差すものである。すなわち、母の乳房を模した模擬乳房を枕体の一辺に配置し、その模擬乳房に顔や手が触れながら自然な睡眠体勢をとることによって無意識中の潜在的な記憶につながり、母の胸にあることの絶対的安心感が睡眠への誘いとなる睡眠導入枕を構成するものである。
【００２５】  図面について説明するならば、図１（イ）（ロ）に示す縦長の四辺形枕１０を形成する枕外皮は、肌に合う布生地等をもって上層布とし、模擬乳房を形成するための膨突袋形を縫製し、後述する製作構造、すなわち上層布にシリコーンを絡め基盤布で閉じる外皮構造でなる模擬乳房外皮を形成する。
【００２６】  形成された枕外皮には模擬乳房体を形成する詰物として、型崩れし難く適度な柔軟性のある素材として、柔軟性シリコーン樹脂を当てて説明するものであるが、その他に柔軟性ウレタン塊、軟質性ウレタン樹脂、若しくは他の柔軟性合成樹脂材などが選択される。
【００２７】  対に形成される外皮膨突袋部に前記柔軟性シリコーンを充填して模擬乳房体を形成し、図（イ）（ロ）に示す四辺形枕１０の一辺の側に模擬乳房１１として一体的に配設する。
【００２８】  図２（ハ）、（ニ）に示す形状は、その平面形の四角形に替えて多角形及び半円形としたものであり、模擬乳房１１の配設は図（イ）と同様である。眠りにつきたい者がいま最も欲する枕形状を各辺から自在に選択できる形状が準備されていることが特徴であり、睡眠導入へつながり易くしたものである。
【００２９】  図３にＡ―Ａ線断面図（ホ）（ヘ）を示し、模擬乳房１１の断面は、第１の外皮構造として布状生地で略半球状の対でなる膨突袋部を、縫製等により上層布１３として形成しそれを、合成樹脂材、又はセメント硬化材、若しくはその他の硬化素材によって形成する図６に示す摸擬乳房凸型１４に被せ、その上に重ねて第１回目の柔軟性シリコーンを塗り付けるなどの成型によって二重構造となる袋部及び平部の一部を含めて形成する。
【００３０】  第１回目の成型から早期に離型後これを裏返して前記凸型１４に再度被せ、その裏返しで表面化した上層布１３の上に重ねて第２回目の前記シリコーン成型、表層成型を行うことで、上層布を柔軟性シリコーンで表層体１７と裏層体３１から挟着した図３（ホ）（ヘ）に示す三重構造でなる第１の外皮３２として、固化によりその形状を保持する。
【００３１】  第２の外皮構造として、前記上層布１３により形成する膨突袋形を、図４に示すようにその高さの上方を少なくとも半分以上を除外し、その袋形に代わる筒状布２４が形成される。これを前記凸型１４に被せて全体をシリコーン等で成型することによって前記した筒形状の下部付近が前記と同様の三重構造、上方部がシリコーン等樹脂のみの一重構造、としてなる第２の模擬乳房外皮３３が形成される。
図に示す二点鎖線は形成される第２の外皮線である。
【００３２】上記二つの外皮構造その何れにおいても膨突袋形の周辺部を形成する平部においては、前記二重構造、三重構造の延伸部とすることが枕体との一体性を強固なものとするために望ましい。
また、第１回目の成型から早期に離型することは、前記凸型１４に被せた時に未だ固化前であることが、成型の表面仕上りを、滑らかな凸型１４から写すための手段である。
【００３３】前記模擬乳房外皮３３に詰める詰物について、第１の詰物構造として柔軟度を調整したシリコーン等を充填し、基盤布１５で封止して外皮と詰物及び基盤布の織目並びに絡め糸１６に絡めた固化によって、構成する布材と詰物がよく一体化され、第１の詰物構造による模擬乳房体が形成される。
【００３４】  第２の詰物構造として、図５に示す充填材ウレタン１８は適当な柔軟度の塊から、前記外皮袋部の中に収まる形状と大きさに切削等によって成形、そのウレタン塊に適度な径の貫通孔１９を、上下、左右、前後、傾斜、その他方向に穿設した後、このウレタン塊を前記袋部の中に挿入し、外皮との間隙には柔軟性シリコーンを注入して両物体を密着一体化させ、更に前記貫通孔１９に柔軟性シリコーンを充填して周囲の外皮と連通することで、その外皮体のシリコーンとウレタン１８が絡まった状態の接着一体化を増強し、その後基盤布１５による前記した詰物封止とその固結と縫着によって全体の一体化が構成される。
【００３５】  模擬乳房帯の製造方法においては、成型外皮を厚くすることで筐体を形成することも、扱い易くする上で良い形体となる。
【００３６】  図６に示す、模擬乳房の原形凸型１４は、例えばセメントなどの硬化体で左右別個に製作し、使用時に継ぎ目２２で合わせて対を形成する構成であり、これに縫製等で形成された膨突形を被せてシリコーンによる袋体、又は筐体として外皮を成型するための凸型である。
【００３７】  図７に示す枕形は、模擬乳房１１を基盤布１５上に一体配設して図（チ）に示す模擬乳房帯２３として構成し、模擬乳房を図に示す枕本体と分離構成したものであり、これによって通常形の枕体でも固着手段２１の一方を有すれば着脱自在に模擬乳房帯２３を設置し、その通常枕を睡眠導入枕に変換できるようにした。
【００３８】  図８に示す、（リ）図の模擬乳首２５は柔軟性シリコーンによって一体形成され、中心をなす模擬乳輪２６は円盤形で直径は１０ｃｍ未満、外方へ向けて徐々に薄くなり輪郭部で無しとなる。模擬乳輪２６の表側には模擬乳頭２８を突設し、裏側には嵌入突起２７を突設する。
【００３９】  模擬乳房を形成する膨突部の頂部に、乳頭を設置してよりリアルな模擬乳房１１を形成する構造であり、合成樹脂材でなる模擬乳房１１の頂部に、図（ヌ）に示す奥部径が入口よりも大なる嵌着穴２９を穿設、この嵌着穴２９へ、前記シリコーンでなる模擬乳首２５の裏側に突設される図（リ）のような先方が大なる嵌入突起２７を、着脱自在に嵌着して図（ル）のように一体化する。
【００４０】  この模擬乳首２５は着脱自在に嵌め合せによって模擬乳房１１へ装着する構造であり、模擬乳首２５の全体は裏方へ椀曲し、その曲面は模擬乳房１１の球面半径よりも小であり、素材の弾力性を利用して模擬乳房１１へ密着するように図られている。また嵌着穴２９の嵌め合う形状が、相方の嵌入突起２７を内に引き込もうとする働きとなり、模擬乳首２５の柔軟性シリコーンとしての弾力性が作用して双方は自然に密接する構造となっている。
【００４１】  模擬乳頭２８を設置しない場合は模擬乳輪２６のみの部材をもって蓋状に形成して嵌着穴２９を塞ぐための部材とし、模擬乳頭２８を設置する場合と、その何れかを選択設置する。更には前記模擬乳頭２８において、タイプの異なる複数を用意し選択できる部材とすることも可能である。
【００４２】  まとめるならば、前記嵌着穴２９を備えた前期模擬乳房１１へ前記嵌入突起２７を嵌入装着することで両物体が着脱自在に一体化して模擬乳房１１が構成される。
【００４３】  本発明の睡眠枕に、電熱ヒーターを組合わせることも冬季には良好に使用できる。本発明の睡眠枕は、これに適合する形状の着脱自在な枕カバーを掛けて使用する。
【符号の説明】
【００４４】１０  四辺形枕
１１  模擬乳房
１２  詰物
１３  上層布
１４  凸型
１５  基盤布
１６  絡め糸
１７  表層体
１８  ウレタン
１９  貫通孔
２１  固着手段
２２  継ぎ目
２３  模擬乳房帯
２４  筒状布
２５  模擬乳首体
２６  模擬乳輪
２７  嵌入突起
２８  模擬乳頭
２９  嵌着穴
３０  枕体
３１  裏層体
３２  第１の外皮
３３  第２の外皮
【図１】
2020124453.tif 000003
【図２】
2020124453.tif 000004
【図３】
2020124453.tif 000005
【図４】
2020124453.tif 000006
【図５】
2020124453.tif 000007
【図６】
2020124453.tif 000008
【図７】
2020124453.tif 000009
【図８】
2020124453.tif 000010
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
柔軟性合成樹脂材を素材とする摸擬乳房体によってなる睡眠導入枕の、布生地、又はその他の生地で略半球状の、対でなる膨突袋部を縫製により上層布として形成し、表層体（１７）と裏層体（３１）で挟着してなる安眠枕の製造方法において、  前記上層布の膨突袋部の先方部である、膨突高さの少なくとも半分以上を切除除外し、その袋部を先方部のない上層布の筒状布（２４）挟着の三重構造とし、前記除外先方部を柔軟性合成樹脂材の一重構造として、併せて一体成型してなる第２外皮（３３）構造と、  前記第２外皮（３３）構造の膨突袋部内に、柔軟性合成樹脂材詰物を充填し、基盤布で封止する従来の充填封止構造において、封止時基盤布の絡め糸（１６）に絡めて、柔軟性合成樹脂材が固化することで、充填柔軟性合成樹脂材と前記第２外皮（３３）構造と、前記絡め糸（１６）を含む基盤布とが固結一体化してなる第１の詰物構造と、  充填材ウレタン（１８）は適当な柔軟度の塊から、前記外皮構造膨突袋部の中に収まる形状と大きさに切削によって成形、そのウレタン（１８）塊に適度な径の貫通孔（１９）を、上下、左右、前後、傾斜、その他方向のうちから選ばれる一方向、又はその複数方向を穿設、このウレタン塊を前記外皮構造膨突袋部の中に挿入後、その間隙に柔軟性合成樹脂材を充填して貫通孔（１９）と外皮とを絡めて連通し、基盤布の従来技術で封止、その基盤布の絡め糸（１６）に絡めて、前記ウレタン（１８）と前記柔軟性合成樹脂材と前記第２外皮（３３）構造と前記基盤布とが固化により一体化してなる第２の詰物構造と、のうち何れかの摸擬乳房詰物構造と、によって構成されることを特徴とした安眠枕の製造方法。
【請求項２】
母の胸部を模した摸擬乳房を設置してなる睡眠導入枕において、  合成樹脂材により成型された模擬乳房に装着する、柔軟性シリコーンで成型された模擬乳首体であって、  前記模擬乳首体（２５）は、模擬乳輪（２６）と模擬乳頭（２８）と装着用の嵌入突起（２７）とからなり、  前記模擬乳輪（２６）は円盤形をなし、その外径は１０ｃｍ以内で形成され、中心部から外方へ漸次その厚みは薄くなって輪郭部で無しとなり、その全体は裏側方向に椀曲し、前記模擬乳輪（２６）中心部表面には模擬乳頭（２８）を一体に突設し、前記模擬乳輪（２６）中心部裏面には、先方径が元部よりも大にして形成される前記嵌入突起（２７）を一体に突設し、それによって構成された前記模擬乳首体（２５）と、柔軟性合成樹脂材でなる第１模擬乳房（１１）の頂部に、入口部の口径が奥部よりも小径に穿設された嵌着穴（２９）を備えてなる第２模擬乳房（３４）とを、着脱自在に嵌め合せ、一体化して構成する第３模擬乳房（２０）と、並びに、枕体（３０）の一面に前記第３模擬乳房（２０）を設置して睡眠導入枕を構成したことを特徴とした安眠枕。
【手続補正２】
【補正対象書類名】明細書
【補正対象項目名】全文
【補正方法】変更
【補正の内容】
【発明の詳細な説明】
【技術分野】
【０００１】  本発明は睡眠時に使用する睡眠枕に関する。
【背景技術】
【０００２】  単に頭を載置するだけの睡眠枕から、視点を変えた工夫によって、寝つきの悪い時でも睡眠導入され易いような枕の形状や質が模索されている。
【先行技術文献】
【０００３】
【特許文献１】特開平１０−１３７０９３
【特許文献２】登録実新第３１５５４５５号
【発明の概要】
【発明が解決しようとする課題】
【０００４】  従来のおっぱい型枕は女性の胸を模った形状を母なる胸として枕に表し、主として乳房状の膨らみ二つが形成する谷間に頭部を乗せて眠りにつくことが主張されている。すなわち頭部を模擬乳房の間に載置することが眠りにつく前提とされている。【０００５】  しかしながら、模擬乳房の谷間に頭を乗せ安定を良くして眠りにつこうとしても、やがて自然に寝返りをすることになるため、頭を横置き状態にしなければならなくなり、横向きの頭部は模擬乳房の谷間では甚だ窮屈で、安らかではない姿勢となるため、身体は寝返り回転して頭はその位置を外れやすいことになる。その時従来のおっぱい型枕では模擬乳房が却って邪魔になり、枕自体が頭から外れてしまうことは自然の成行きであった。【０００６】  特許文献１によると、その主課題とするところは谷間に頭部を乗せて睡眠することであり、頭部の安定と通気性の確保を主張している。  特許文献２においては、谷間に頭を乗せて眠ることは安定性が良く、睡眠導入される、としている。【０００７】  特許文献１，２の技術的な中心部分は模擬乳房の谷間を活用する技術であり、それに従った場合には頭部が位置的に固定されるために寝返りのとき窮屈となり、また、大人の頭をそこに載置して、寝返りを考慮しないまま睡眠設定すること自体は現実的とは云々難いものであった。寝返りの時や返り戻るときもむしろ邪魔になるなど、いずれにしても窮屈さが眠りを妨げるという逆結果であり、欠点ともなっていた。【０００８】  上記に述べた実情に鑑み、本発明ではより自然な模擬乳房形状によって、幼児期の安心睡眠に倣って睡眠導入され易い睡眠枕を得ることを課題とする。
【課題を解決するための手段】
【０００９】  柔軟性合成樹脂材を素材とする摸擬乳房体によってなる睡眠導入枕の、布生地、又はその他の生地で略半球状の、対でなる膨突袋部を縫製により上層布として形成し、表層体（１７）と裏層体（３１）で挟着してなる安眠枕の製造方法において、  前記上層布の膨突袋部の先方部である、膨突高さの少なくとも半分以上を切除除外し、その袋部を先方部のない上層布の筒状布（２４）挟着の三重構造とし、前記除外先方部を柔軟性合成樹脂材の一重構造として、併せて一体成型してなる第２外皮（３３）構造と、  前記第２外皮（３３）構造の膨突袋部内に、柔軟性合成樹脂材詰物を充填し、基盤布で封止する従来の充填封止構造において、封止時基盤布の絡め糸（１６）に絡めて、柔軟性合成樹脂材が固化することで、充填柔軟性合成樹脂材と前記第２外皮（３３）構造と、前記絡め糸（１６）を含む基盤布とが固結一体化してなる第１の詰物構造と、  充填材ウレタン（１８）は適当な柔軟度の塊から、前記外皮構造膨突袋部の中に収まる形状と大きさに切削によって成形、そのウレタン（１８）塊に適度な径の貫通孔（１９）を、上下、左右、前後、傾斜、その他方向のうちから選ばれる一方向、又はその複数方向を穿設、このウレタン塊を前記外皮構造膨突袋部の中に挿入後、その間隙に柔軟性合成樹脂材を充填して貫通孔（１９）と外皮とを絡めて連通し、基盤布の従来技術で封止、その基盤布の絡め糸（１６）に絡めて、前記ウレタン（１８）と前記柔軟性合成樹脂材と前記第２外皮（３３）構造と前記基盤布とが固化により一体化してなる第２の詰物構造と、のうち何れかの摸擬乳房詰物構造と、によって構成されることを特徴とした安眠枕の製造方法である。【００１０】母の胸部を模した摸擬乳房を設置してなる睡眠導入枕において、  合成樹脂材により成型された模擬乳房に装着する、柔軟性シリコーンで成型された模擬乳首体であって、  前記模擬乳首体（２５）は、模擬乳輪（２６）と模擬乳頭（２８）と装着用の嵌入突起（２７）とからなり、  前記模擬乳輪（２６）は円盤形をなし、その外径は１０ｃｍ以内で形成され、中心部から外方へ漸次その厚みは薄くなって輪郭部で無しとなり、その全体は裏側方向に椀曲し、前記模擬乳輪（２６）中心部表面には模擬乳頭（２８）を一体に突設し、前記模擬乳輪（２６）中心部裏面には、先方径が元部よりも大にして形成される前記嵌入突起（２７）を一体に突設し、それによって構成された前記模擬乳首体（２５）と、柔軟性合成樹脂材でなる第１模擬乳房（１１）の頂部に、入口部の口径が奥部よりも小径に穿設された嵌着穴（２９）を備えてなる第２模擬乳房（３４）とを、着脱自在に嵌め合せ、一体化して構成する第３模擬乳房（２０）と、並びに、枕体（３０）の一面に前記第３模擬乳房（２０）を設置して睡眠導入枕を構成したことを特徴とした安眠枕である。
【発明の効果】
【００１１】本発明によって使用者自身が模擬乳房と共に安心の場である母の胸に居る意識を潜在意識下の自身と共有し、安静を得て、横たわる自然な姿勢で顔や手が第３模擬乳房２０や模擬乳首体２５の膨らみに触れながら、すなわち安心を実感しながら安静にすると、穏やかさが無意識に持続されていくうちに、睡眠導入され易くなるという効果が得られた。【００１２】本発明に示す製造方法によると、安眠の目的に合致することに適当な模擬乳房体及び安眠枕を得ることが容易であり、それを比較的安価に実現することができる。【００１３】  前記製法によって得られる第３模擬乳房２０のより良い感触が、意識を無意識へ、さらに潜在意識へと近付けるものとなって睡眠導入され易くなった。【００１４】  原形凸型製作を石膏型やセメント型によることを可能としており、金型による必要がないことは製造原価低減についての著しい効果がある。【００１５】本発明では、模擬乳房の感触を無意識の中においてよりリアル化し睡眠導入効果を高めたもので、柔軟性シリコーンでなる模擬乳首体２５を第１模擬乳房１１に対して、図７に示す着脱自在に装着できる構造としたことで、複数用意された模擬乳首を使用者は選択使用することにより、より睡眠導入され易い安眠枕を実現した。
【図面の簡単な説明】
【００１６】
【図１】従来技術の枕例を表す斜視図
【図２】本発明安眠枕の実施例を表す平面図
【図３】本発明安眠枕のＡ−Ａ線を表す断面図、並びに拡大図
【図４】本発明安眠枕の実施例を表す斜視図
【図５】本発明安眠枕の実施例を表す断面図
【図６】本発明にかかる凸型の断面図
【図７】本発明安眠枕の細部を表す斜視図、並びに断面図
【発明を実施するための形態】
【００１７】  文中の語句を定義するならば、  椀曲とは、食器のお椀のように一方へ凹曲面となる形状を表し、  模擬乳首とは、模擬乳輪と模擬乳頭と装着用突起とで構成される模擬乳首体を示す。
【００１８】  本発明の主要素材は柔軟性合成樹脂材によってなされるものであるが、説明にあたりその素材を柔軟性シリコーンを当てた場合をもって説明する。また、単にシリコーンと記載されている場合も柔軟性シリコーンを示すものである。
【００１９】本発明の特徴的模擬乳房の形状は幼児期に母の胸に抱かれて眠った安心睡眠の潜在意識に根差すものである。すなわち、母の乳房を模した第１模擬乳房１１に模擬乳首体２５を一体化させてなる第３模擬乳房２０は、模擬乳輪２６と模擬乳頭２８と装着用の嵌入突起２７とからなり、前記模擬乳輪２６は円盤形をなし、その外径は１０ｃｍ以内で形成され、中心部から外方へ漸次その厚みは薄くなって輪郭部で無しとなり、その全体は裏側方向に椀曲し、前記模擬乳輪２６中心部表面には前記模擬乳頭２８を一体に突設、前記模擬乳輪２６中心部裏面には、先方径が元部よりも大にして形成される前記嵌入突起２）を一体に突設、それによって構成される前記模擬乳首体２５と、第１模擬乳房１１の頂部に、入口部の口径が奥部よりも小径に穿設された嵌着穴２９と、によって構成され、前記嵌着穴２９へ前記嵌入突起２７を着脱自在に嵌入することで装着、一体化してなる第３模擬乳房２０を枕体の一面に配置し、その第１模擬乳房１１と模擬乳首体２５のよりリアルな模擬乳房構造に、顔や手が触れながら自然な睡眠体勢をとることによってやがて無意識中の潜在的な記憶につながり、母の胸にあることの絶対的安心感が睡眠への誘いとなる睡眠導入され易い睡眠導入枕を構成するものである。
【００２０】  図面について説明するならば、図１に示す従来の四辺形枕１０を形成する枕外皮は、肌に合う布生地等をもって図３、図４に示す上層布１３とし、模擬乳房を形成するための膨突袋部を縫製し、上層布を柔軟性合成樹脂材で表層体１７と裏層体３１で挟着した三重構造状の外皮として構成する従来の第１外皮３２構造と、上層布にシリコーンを絡め基盤布で閉じる従来技術の模擬乳房を形成する。従来のおっぱい型睡眠導入枕の例では、対に形成される外皮膨突袋部に前記柔軟性シリコーンを充填して模擬乳房体を形成し、図１に示す従来の四辺形枕１０の一辺に第１模擬乳房１１として一体的に配設されている。
【００２１】前記形成された枕外皮には模擬乳房体を形成する詰物として、型崩れし難く適度な柔軟性のある素材として、柔軟性シリコーン樹脂を当てて説明するものであるが、その他に柔軟性ウレタン塊、軟質性ウレタン樹脂、若しくは他の柔軟性合成樹脂材などが選択される。
【００２２】図２のＡ―Ａ線断面図を図３（イ）、（ロ）に示した第３模擬乳房２０であり、従来技術の、布状生地で略半球状の対でなる膨突袋部を、縫製等により上層布１３として形成しそれを、合成樹脂材、又はセメント硬化材、若しくはその他の硬化素材によって形成する図６に示す摸擬乳房凸型１４に被せ、その上に重ねて第１回目の柔軟性シリコーンを塗り付けるなどの成型によって二重構造となる袋部及び平部の一部を含めて形成する。
【００２３】次いで、第１回目の成型から早期離型後にこれを裏返して前記凸型１４に再度被せ、その裏返しで表面化した上層布１３の上に重ねて第２回目の前記シリコーンの表層成型を行うことで、上層布を柔軟性シリコーンで表層体１７と裏層体３１で挟着した、図３（イ）、（ロ）に示す三重構造でなる第１の外皮３２として、固化によりその形状を保持する。
【００２４】本発明第２の外皮構造として、前記第１外皮３２により形成する膨突袋部を、図４に示すようにその高さの上方を少なくとも半分以上を除外し、その袋部に代わる筒状布２４部が形成される。これを前記凸型１４に被せて全体をシリコーン等で成型することによって前記した筒形状の下部付近が前記と同様の三重構造、かつ、上方部がシリコーン等樹脂のみの一重構造としてなる第２の模擬乳房外皮３３が形成される。  図に示す二点鎖線は形成される第２の模擬乳房外皮線である。
【００２５】上記二つの外皮構造その何れにおいても膨突袋部の周辺部を形成する平部においては、前記二重構造、三重構造の延伸部とすることが枕体との一体性を強固なものとするために望ましい。  また、第１回目の成型から早期に離型することは、前記凸型１４に被せた時に未だ固化前であることが、成型の表面仕上りを、滑らかな凸型１４から写すための手段である。
【００２６】前記模擬乳房第２外皮３３に詰める詰物について、第１の詰物構造として柔軟度を調整したシリコーン等の詰物１２を充填し、基盤布１５により従来技術で封止し、外皮と詰物及び基盤布の織目並びに絡め糸１６に絡めた固化によって、構成する布材と詰物がよく一体化され、第１の詰物構造による模擬乳房体が形成される。
【００２７】  第２の詰物構造として、図５に示す充填材ウレタン１８は適当な柔軟度の塊から、前記外皮袋部の中に収まる形状と大きさに切削等によって成形、そのウレタン塊に適度な径の貫通孔１９を、上下、左右、前後、傾斜、その他方向のうち必要な方向に穿設した後、このウレタン塊を前記袋部の中に挿入し、外皮との間隙には柔軟性シリコーンを注入して両物体を密着一体化させ、更に前記貫通孔１９に柔軟性シリコーンを充填して周囲の外皮と連通することで、その外皮体のシリコーンとウレタン１８が絡まった状態の接着一体化を増強し、その後基盤布１５による前記した詰物封止とその固結と前記基盤布縫着によって全体の一体化が構成される。
【００２８】  図６に示す、模擬乳房の原形凸型１４は、例えばセメントなどの硬化体で左右別個に製作し、使用時に継ぎ目２２で合わせて対を形成する構成であり、これに縫製等で形成された膨突部を被せてシリコーンによる袋体、又は筐体として外皮を成型するための凸型である。
【００２９】  図７に示す、（ハ）図の模擬乳首体２５は柔軟性シリコーンによって一体形成され、中心をなす模擬乳輪２６は円盤形で直径は１０ｃｍ未満、外方へ向けて徐々に薄くなり輪郭部で無しとなる。前記模擬乳輪２６の表側には模擬乳頭２８を突設し、裏側には嵌入突起２７を突設する。
【００３０】  模擬乳房を形成する膨突部の頂部に、乳頭を設置してよりリアルな第３模擬乳房２０を形成する構造であり、合成樹脂材でなる第１模擬乳房１１の頂部に、図（ニ）に示す奥部径が入口よりも大なる嵌着穴２９を穿設、この嵌着穴２９へ、前記シリコーンでなる模擬乳首体２５の裏側に突設される、図（ハ）に示すような先方が大なる嵌入突起２７を、着脱自在に嵌着して図（ホ）に示すように一体化する。
【００３１】  この模擬乳首体２５は着脱自在に嵌め合せによって第２模擬乳房３４へ装着する構造であり、模擬乳輪２６の全体は裏方へ椀曲し、その曲面は第２模擬乳房３４の球面半径よりも小であり、素材の弾力性を利用して第２模擬乳房３４へ密着するように図られている。また嵌着穴２９の嵌め合う形状が、相方の嵌入突起２７を内に引き込もうとする働きとなり、模擬乳首体２５の柔軟性シリコーンとしての弾力性が作用して双方は自然に密接する構造となっている。
【００３２】  模擬乳頭２８を設置しない場合は模擬乳輪２６のみの部材をもって蓋状に形成して嵌着穴２９を塞ぐための部材（図示しない）とし、模擬乳頭２８を設置する場合と、その何れかを選択設置する。更には前記模擬乳頭２８において、形状タイプの異なる複数を用意し選択できる部材とすることも可能である。
【００３３】  まとめるならば、前記嵌着穴２９を備えた前期第２模擬乳房３４へ前記嵌入突起２７を嵌入装着することで両物体が着脱自在に一体化して第３模擬乳房２０が構成される。
【００３４】  本発明の睡眠枕に、電熱ヒーターを組合わせることも冬季には良好に使用できる。
【符号の説明】
【００３５】１０  四辺形枕の従来例１１  第１模擬乳房１２  詰物１３  上層布１４  凸型１５  基盤布１６  絡め糸１７  表層体１８  ウレタン１９  貫通孔２０  第３模擬乳房２１  固着手段２２  継ぎ目２４  筒状布２５  模擬乳首体２６  模擬乳輪２７  嵌入突起２８  模擬乳頭２９  嵌着穴３０  枕体３１  裏層体３２  第１の外皮３３  第２の外皮３４ 第２模擬乳房
【手続補正４】
【補正対象書類名】図面
【補正対象項目名】全図
【補正方法】変更
【補正の内容】
【図１】
2020124453.tif 000011
【図２】
2020124453.tif 000012
【図３ａ】
2020124453.tif 000013
【図３ｂ】
2020124453.tif 000014
【図４】
2020124453.tif 000015
【図５】
2020124453.tif 000016
【図６】
2020124453.tif 000017
【図７】
2020124453.tif 000018
【手続補正書】
【提出日】令和2年3月10日(2020.3.10)
【手続補正１】
【補正対象書類名】特許請求の範囲
【補正対象項目名】請求項１
【補正方法】変更
【補正の内容】
【請求項１】
柔軟性合成樹脂材を素材とする摸擬乳房体によってなる睡眠導入枕の、布生地、又はその他の生地で略半球状の、対でなる膨突袋部を縫製により上層布として形成し、表層体（１７）と裏層体（３１）で挟着してなる安眠枕の製造方法において、
前記上層布の膨突袋部の先方部である、膨突高さの少なくとも半分以上を切除除外し、その袋部を先方部のない上層布の筒状布（２４）挟着の三重構造とし、前記除外先方部を柔軟性合成樹脂材の一重構造として、併せて一体成型してなる第２外皮（３３）構造を形成し、次いで、
前記第２外皮（３３）構造の膨突袋部内に、柔軟性合成樹脂材詰物を充填し、基盤布で封止する充填封止構造を形成し、その構成において、
封止時基盤布の絡め糸（１６）に絡めて、柔軟性合成樹脂材が固化することで、充填柔軟性合成樹脂材と前記第２外皮（３３）構造と、前記絡め糸（１６）を含む基盤布とが固結一体化してなる第１の詰物構造と、
充填材ウレタン（１８）は適当な柔軟度の塊から、前記外皮構造膨突袋部の中に収まる形状と大きさに切削によって成形、そのウレタン（１８）塊に適度な径の貫通孔（１９）を、上下、左右、前後、傾斜、その他方向のうちから選ばれる一方向、又はその複数方向を穿設、このウレタン塊を前記外皮構造膨突袋部の中に挿入後、その間隙に柔軟性合成樹脂材を充填して貫通孔（１９）と外皮とを絡めて連通し、基盤布で封止、その基盤布の絡め糸（１６）に絡めて、前記ウレタン（１８）と前記柔軟性合成樹脂材と前記第２外皮（３３）構造と前記基盤布とが固化により一体化してなる第２の詰物構造と、
のうち何れかの摸擬乳房詰物構造を形成し、構成すること、
を特徴とした安眠枕の製造方法。